(57)【特許請求の範囲】
【請求項１】
複数のガス使用機器と、前記ガス使用機器のそれぞれに設けられ、前記ガス使用機器の運転状態情報をデータとして無線送信する無線ユニットと、前記無線ユニットそれぞれからの運転状態情報データを受信するマイコンメーターとからなるガス保安システムにおいて、前記マイコンメーターは、前記ガス保安システムを構成するすべてのガス使用機器から運転停止情報を受信した状態で、前記いずれかの無線ユニットからガス流量パルスの検知を受信した場合、前記ガス流量パルスの検知を認識しないようにするガス保安システム。
【発明の詳細な説明】
【０００１】
【発明の属する技術分野】
本発明は、ガス流量を計測し、異常流量が計測された場合にはガス通路を遮断し、ガス使用上の安全性を確保するガス保安システムに関するものである。
【０００２】
【従来の技術】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。これらは、日々のガスメータ内を流れるガス流量より遮断動作の判定値を決定している。
【０００３】
そして、このガスメーターとガスを管理しているセンターとの間で情報を無線データとして送受信する装置が実用化されている。
【０００４】
また、ガス機器においても、機器本体をリモコンから無線で制御する物が商品化されている。
【０００５】
しかし、同じガスを使用するにもかかわらず、これらの商品は個々に動作し、お互いに連携を持たせたシステムとしての運用は行われていなかった。
【０００６】
【発明が解決しようとする課題】
しかしながら、日々のガスメータ内のガス流量を監視することにより遮断動作の判定値を決定しているとはいえ、一定の期間内であり、その期間内に発生しなかった別の動作状態が起こった場合、正常なガス機器の運転をしているにもかかわらずマイコンメーターはガス遮断をしてしまったり、微少なガス流量を漏れなのかガス使用なのかを正確に検知できないが為に逆に遮断できないという課題があった。また、ガス機器の買い換えや追加などが行われた場合、設置後しばらくはガス遮断が起こってしまうという課題もあった。
【０００７】
【課題を解決するための手段】
上記課題を解決するため本発明では、ガス機器の状態情報をマイコンメーターに取り込むことにより、マイコンメーターの遮断判定値をより実際の使用状態に合わせて決定できるようにしたものである。
【０００８】
【発明の実施の形態】
本発明の第１の手段によるガス保安システムは、複数のガス使用機器と、前記ガス使用機器のそれぞれに設けられ、前記ガス使用機器の運転状態情報をデータとして無線送信する無線ユニットと、前記無線ユニットそれぞれからの運転状態情報データを受信するマイコンメーターとからなるガス保安システムにおいて、前記マイコンメーターは、前記ガス保安システムを構成するすべてのガス使用機器から運転停止情報を受信した状態で、前記いずれかの無線ユニットからガス流量パルスの検知を受信した場合、前記ガス流量パルスの検知を認識しないようにするものである。
【０００９】
これにより、マイコンメーターはガス漏洩を正確に判定できる。
【００２２】
【実施例】
以下、本発明の実施例について図面を用いて説明する。
【００２３】
（実施例１）
図１は本発明の手段によるガス保安システムを示す構成図である。
【００２４】
１は、マイコンメーターで、ガス流量の計測部、ガス通路の遮断装置、制御部で主に構成されている。２は、ガス使用機器である。３は通信ユニットで、ガス使用機器２の各種状態情報をデータとしてマイコンメーター１に送信する。
【００２５】
本発明の第１の手段によると、ガス使用機器２が運転停止状態であるとき、その情報を通信ユニット３を通じてマイコンメーター１へ送信する。一つのマイコンメーターが管理するガスの下流側に複数のガス使用機器が設置されている場合にも、それぞれが運転停止状態であるとき、停止情報をマイコンメーター１へ送信する。
【００２６】
これにより、マイコンメーター１は、下流側に設置されたガス使用機器の全てが運転停止状態であると認識できる時期にガス流量を計測すると、ガス流量がある場合にはマイコンメーターからそれぞれのガス機器までのガス通路か、またはガス機器自体にガス漏れ箇所があるということを正確に判定できるようになる。
【００２７】
（実施例２）
本発明の第２の手段によると、ガス使用機器２の運転状態情報を無線データとして変換し、且つマイコンメーター１へ送信する無線ユニット４をマイコンメーターの下流側にあるガス使用機器全てに設置するようにする。
【００２８】
これにより、一つのマイコンメーターに複数のガス使用機器のデータ受信用の端子を設置する必要がなくなり、また、配線工事、配線自体も無くすことができる。
【００２９】
（実施例３）
本発明の第３の手段によると、マイコンメーター１の下流側に例えば３台の能力の異なるガス使用機器２Ａ、２Ｂ、２Ｃが設置されている状態で、運転時のガス使用量が機器２Ａ＞機器２Ｂ＞機器２Ｃ  の順番で少なくなっていく場合、機器２Ａと機器２Ｂが運転停止情報を送信し、機器２Ｃが運転中である情報をマイコンメーター１へ送信する。
【００３０】
これにより、マイコンメーター１は、設置されたガス機器の最小ガス消費パターンであっても、微少漏洩と判断してガスを遮断することなく、微少流量使用であると正しく認識できる。
【００３１】
また、機器２Ｃが運転中であるという情報を送信しなくても、あらかじめマイコンメーターが機器２Ａ，２Ｂ，２Ｃの３台が設置されていることを認識したうえで、機器２Ａ，２Ｂの運転停止情報だけで機器２Ｃの運転を判断するようにしてもよい。
【００３２】
（実施例４）
本発明の第４の手段によると、マイコンメーター１の下流側に例えば３台のガス使用機器が設置されている状態で、それぞれのガス使用機器が運転状態のガス使用量を最大運転時の何％の能力で行っているかをマイコンメーター１へ送信する。
【００３３】
これにより、マイコンメーター１は、設置されたガス機器の最大ガス消費パターンを認識することができ、季節の変化等でそれまでの流量より大幅に増加しても、異常流量と判断して誤遮断を行わないですむ。
【００３４】
（実施例５）
本発明の第５の手段によると、マイコンメーター１の下流側に新たにガス使用機器２Ｄが設置された場合、設置されたガス使用機器２Ｄはマイコンメーター１へ直ちに機器情報を送信する。機器情報は、単に新規の機器であることだけでもよいし、ガス使用能力等機器の特徴に関する事でもよい。そして、この情報を受信したマイコンメーター１は、新規にガス使用機器２Ｄが追加されたことを認識し、それまで蓄積してきたガス消費パターンを使用せずにあらたに学習モードに入るようにする。
【００３５】
これにより、マイコンメーター１は新たにガス機器２Ｄが設置されてガス使用量が大きく変化した場合、学習プログラムの変更が必要であると認識するまでの期間、間違ってガスを遮断することなく、また、すぐに再学習を開始できる。
【００３６】
（実施例６）
本発明の第６の手段によると、マイコンメーター１の下流側に設置されたガス使用機器、例えば２Ｃが新規に取り替えられたり、単に取り外されたりした場合、マイコンメーター１は一定の期間情報データが受信できないことから、ガス使用機器２Ｃの取り外しを認識し、ガス遮断の判定値の変更を行うべく再学習モードに入るようにする。
【００３７】
これにより、既に設置されていたガス使用機器が取り外されガス使用量が減少しても、実際の使用量より判定値の変更が無く余裕がありすぎるという事をなくし、適正な判定値を直ちに再学習し、正確に遮断を行える。
【００３８】
（実施例７）
本発明の第７の手段によると、マイコンメーター１の下流側に例えばガス使用機器２Ａ、２Ｂ、２Ｃの３台が設置されている場合、それぞれの運転停止情報を確認し、３台共に動作が停止していると判断できる時には、流量パルスの検知が確認できたとしても、これを取り込まず、無視するようにする。
【００３９】
これにより、ガス圧変動や、衝撃によるガス流量の検針値ずれを皆無にすることができる。
【００４０】
以上の実施例は、３台程度のガス使用機器の設置を想定しているが、勿論これ以外の数量についても同じことが実施できる。
【００４１】
【発明の効果】
以上の説明から明らかのように本発明のガス保安システムによれば、次の効果が得られる。
【００４２】
マイコンメーターの下流に接続されたガス使用機器が運転停止状態であることをマイコンメーターが認識できるので、この時のガス流量を検知することにより、流量がある場合にはガスの漏洩があると確実に判断できるようになる。
【００４３】
このガス使用機器の運転状態情報を無線データとしてマイコンメーターが受信できることで、複数のガス使用機器を接続する端子をマイコンメーターに設置せずにすみ、また、配線もなくすことができる。
【００４４】
そして、複数のガス使用機器が設置された状態で、最小ガス消費量の機器が単独で運転していることをマイコンメーターが認識できることで、微少流量使用を微少漏洩と判断し誤遮断してしまうことがなくなる。
【００４５】
また、複数のガス使用機器が設置された状態で、それぞれのガス使用機器が最大運転能力の内のどの程度で運転しているかをマイコンメーターが認識できることで、設置されたガス機器の最大ガス消費パターンを認識することができ、季節の変化等でそれまでの流量より大幅に増加しても、異常流量と判断して誤遮断を行わないですむ。
【００４６】
ガス使用機器が新規で追加された場合には、設置後すぐに機器情報をマイコンメーターへ送信することで、すぐに再学習を開始できるので、学習プログラムの変更が必要であると認識するまでの期間、間違ってガスを遮断することがなくなる。
【００４７】
既に設置されたガス使用機器を新規に取り替えられたり、単に取り外されたりした場合には、マイコンメーターがガス使用機器の取り外しを認識することで、適正な遮断判定値を決定すべくすぐに再学習するので、設置状況の変化があっても常に正確な遮断が行える。
【００４８】
さらに、ガス使用機器が運転を停止していることをマイコンメーターが認識できるので、その時に発生した流量パルスを無視することでガス流量の検針値ずれをなくすことができる。
【図面の簡単な説明】
【図１】本発明の実施例１におけるガス保安システムを示す構成図
【図２】本発明の実施例２におけるガス保安システムを示す構成図
【図３】本発明の実施例３におけるガス保安システムを示す構成図
【図４】本発明の実施例４におけるガス保安システムを示す構成図
【図５】本発明の実施例５におけるガス保安システムを示す構成図
【図６】本発明の実施例６におけるガス保安システムを示す構成図
【図７】本発明の実施例７におけるガス保安システムを示す構成図
【符号の説明】
１  マイコンメーター
２  ガス使用機器
２Ａ  ガス使用機器
２Ｂ  ガス使用機器
２Ｃ  ガス使用機器
２Ｄ  ガス使用機器
３  通信ユニット
４  無線ユニット
【図１】
0004151367.tif 000002
【図２】
0004151367.tif 000003
【図３】
0004151367.tif 000004
【図４】
0004151367.tif 000005
【図５】
0004151367.tif 000006
【図６】
0004151367.tif 000007
【図７】
0004151367.tif 000008